(57)【要約】【課題】  ＯＤインタフェースにおける回線接続の作業担当者の効率の向上を図る【解決手段】  ＰＢＸ１００とＯＤインタフェースを介して回線接続する回線接続装置１０において、第１送信信号を出力し、該信号を受けたＰＢＸからの応答を受信信号として確認すると、当該回線接続制御をウインクスタート方式として設定するウインクスタート方式設定制御部５１と、受信信号が確認できないとき、第1送信信号の出力を停止した後、改めて第２送信信号を出力し、該信号を受けたＰＢＸからの応答をトーンダイヤル信号として監視し、第２送信信号を出力から所定の時間経過後に、第２送信信号にダイヤルパルスを重畳し、該ダイヤルパルスを受けたＰＢＸからのトーンダイヤル信号の切断を確認すると、当該回線接続制御をイミディエートスタート方式として設定するイミディエートスタート方式設定制御部５２とを備える。【選択図】        図１
2006246292.tif 000002
【特許請求の範囲】
【請求項１】
ＰＢＸおよび回線接続装置間のＯＤインタフェースによる回線接続方法において、
前記回線接続装置は、
第１送信信号を出力し、該信号を受けたＰＢＸからの応答を受信信号として確認すると、当該回線接続制御をウインクスタート方式として設定するウインクスタート方式設定工程と、
前記受信信号が確認できないとき、前記第1送信信号の出力を停止した後、改めて第２送信信号を出力し、該信号を受けたＰＢＸからの応答をトーンダイヤル信号として監視し、前記第２送信信号を出力から所定の時間経過後に、前記第２送信信号にダイヤルパルスを重畳し、該ダイヤルパルスを受けたＰＢＸからの前記トーンダイヤル信号の切断を確認すると、当該回線接続制御をイミディエートスタート方式として設定するイミディエートスタート方式設定工程とを備えることを特徴とするＯＤインタフェース回線接続方法。
【請求項２】
前記ウインクスタート方式設定工程において、前記第１送信信号の出力開始から前記受信信号を受けるまでに要した時間をウインク時間として設定することを特徴とする請求項１記載のＯＤインタフェース回線接続方法。
【請求項３】
前記所定の時間はプレポーズ時間であり、
イミディエートスタート方式設定工程において、前記プレポーズ時間を設定することを特徴とする請求項１記載のＯＤインタフェース回線接続方法。
【請求項４】
前記トーンダイヤル信号の切断が確認できないとき、前記第２送信信号の出力を停止し、時間延長したプレポーズ時間によるイミディエートスタート設定手段をトーンダイヤル信号の切断を確認するまで繰返すプレポーズスタート方式設定工程を備えることを特徴とする請求項３記載のＯＤインタフェース回線接続方法。
【請求項５】
ＰＢＸとＯＤインタフェースを介して回線接続する回線接続装置において、
第１送信信号を出力し、該信号を受けたＰＢＸからの応答を受信信号として確認すると、当該回線接続制御をウインクスタート方式として設定するウインクスタート方式設定制御部と、
前記受信信号が確認できないとき、前記第1送信信号の出力を停止した後、改めて第２送信信号を出力し、該信号を受けたＰＢＸからの応答をトーンダイヤル信号として監視し、前記第２送信信号を出力から所定の時間経過後に、前記第２送信信号にダイヤルパルスを重畳し、該ダイヤルパルスを受けたＰＢＸからの前記トーンダイヤル信号の切断を確認すると、当該回線接続制御をイミディエートスタート方式として設定するイミディエートスタート方式設定制御部と、
を備えることを特徴とする回線接続装置。
【請求項６】
前記ウインクスタート方式設定制御部は、
前記ウインクスタート方式の設定において、前記第１送信信号の出力開始から前記受信信号を受けるまでに要した時間をウインク時間として設定することを特徴とする請求項５記載の回線接続装置。
【請求項７】
前記所定の時間はプレポーズ時間であり、
前記イミディエートスタート方式設定制御部は、
前記イミディエートスタート方式の設定において、前記プレポーズ時間を設定することを特徴とする請求項５記載の回線接続装置。
【請求項８】
前記トーンダイヤル信号の切断が確認できないとき、前記第送信信号の出力を停止し、時間延長したプレポーズ時間によるイミディエートスタート設定制御をトーンダイヤル信号の切断を確認するまで繰返すプレポーズスタート方式設定制御部を備えることを特徴とする請求項７記載の回線接続装置。
【発明の詳細な説明】
【技術分野】
【０００１】
本発明は、ＶｏＩＰゲートウェイと称される回線接続装置とＰＢＸとの間の回線接続において、呼制御のための制御信号線と音声信号線とが異なるアウトバンド（帯域外）と称されるインタフェースにおける回線接続に関する。
【背景技術】
【０００２】
ＶｏＩＰ（Ｖｏｉｃｅ  ｏｖｅｒ  Ｉｎｔｅｒｎｅｔ  Ｐｒｏｔｏｃｏｌ）ゲートウェイと称される回線接続装置と、ＰＢＸ（Ｐｒｉｖａｔｅ  Ｂｒａｎｃｈ  Ｅｘｃｈａｎｇｅ）との回線接続は、呼制御のための制御信号線と音声信号線とが異なる、いわゆるアウトバンドと称されるインタフェース（以降、ＯＤインタフェース接続と称す）を介して回線接続制御が行われている（特許文献１参照）。
【０００３】
ところで、ＯＤインタフェースにおける回線接続方式は複数種類あり、例えばウインクスタート方式やイミディエートスタート方式などがあり、更にイミディエートスタート方式における時間設定において、より長い時間が設定されるプレポーズ方式がある。
ＰＢＸの管理者は、前記した複数の接続方式から回線接続方式を任意に選択し、選択した方式をＰＢＸに設定して運用を行っている。
【特許文献１】特開２００３−１８９３８０号公報
【発明の開示】
【発明が解決しようとする課題】
【０００４】
ところで、ＰＢＸの管理者により回線接続方式が設定されたＰＢＸに回線接続装置を接続する際、接続作業者はＰＢＸの管理担当者にＰＢＸに設定している回線接続方式を問合せ、この問合せで得た回線接続方式に順じて回線接続装置の回線接続設定を行っていた。
【０００５】
また、ＰＢＸの管理者から回線接続方式の問合せ結果として誤った情報を受けた場合やＰＢＸにおける回線接続設定が不明な場合、接続担当者は前記した複数の回線接続方式を一つづつ順に試行してＰＢＸに設定されている接続方式を特定し、これを回線接続装置に設定していた。
従って、回線接続方式を特定するために、試行を繰返す必要があることから、接続担当者の作業効率が悪く、その改善が望まれていた。
【０００６】
前記した課題に鑑みて、本発明の目的は、ＯＤインタフェースにおける回線接続の作業担当者の効率の向上を図り得る回線接続方法および該回線接続方法を適用した回線接続装置を提供することにある。
【課題を解決するための手段】
【０００７】
本発明は、以上の点を解決するために、次の構成を採用する。
ＰＢＸおよび回線接続装置間のＯＤインタフェースによる回線接続方法において、回線接続装置は、第１送信信号を出力し、該信号を受けたＰＢＸからの応答を受信信号として確認すると、当該回線接続制御をウインクスタート方式として設定するウインクスタート方式設定工程と、受信信号が確認できないとき、第1送信信号の出力を停止した後、改めて第２送信信号を出力し、該信号を受けたＰＢＸからの応答をトーンダイヤル信号として監視し、第２送信信号を出力から所定の時間経過後に、第２送信信号にダイヤルパルスを重畳し、該ダイヤルパルスを受けたＰＢＸからの前記トーンダイヤル信号の切断を確認すると、当該回線接続制御をイミディエートスタート方式として設定するイミディエートスタート方式設定工程とを備えることを特徴とする。
【０００８】
ＰＢＸとＯＤインタフェースを介して回線接続する回線接続装置において、第１送信信号を出力し、該信号を受けたＰＢＸからの応答を受信信号として確認すると、当該回線接続制御をウインクスタート方式として設定するウインクスタート方式設定制御部と、受信信号が確認できないとき、第1送信信号の出力を停止した後、改めて第２送信信号を出力し、該信号を受けたＰＢＸからの応答をトーンダイヤル信号として監視し、第２送信信号を出力から所定の時間経過後に、第２送信信号にダイヤルパルスを重畳し、該ダイヤルパルスを受けたＰＢＸからのトーンダイヤル信号の切断を確認すると、当該回線接続制御をイミディエートスタート方式として設定するイミディエートスタート方式設定制御部と、を備えることを特徴とする。
【発明の効果】
【０００９】
本発明によれば、第１送信信号を出力し、該信号を受けたＰＢＸからの応答を受信信号として確認することにより、ウインクスタート方式を判定することができ、また受信信号が確認できないとき、第２送信信号を出力し、該信号を受けたＰＢＸからの応答をトーンダイヤル信号として監視し、第２送信信号を出力から所定の時間経過後に、第２送信信号にダイヤルパルスを重畳し、該ダイヤルパルスを受けたＰＢＸからのトーンダイヤル信号の切断を確認することにより、イミディエートスタート方式を判定することができる。従って、前記した回線接続方法を回線接続装置に組み込むことにより、ＯＤインタフェースにおける接続作業担当者の接続作業の効率の向上を図ることができる。
【発明を実施するための最良の形態】
【００１０】
以下、本発明の実施形態について、図を用いて詳細に説明する。
【実施例１】
【００１１】
本発明の回線接続装置としてのＶｏＩＰ（Ｖｏｉｃｅ  ｏｖｅｒ  Ｉｎｔｅｒｎｅｔ  Ｐｒｏｔｏｃｏｌ）ゲートウェイ１０は、図１に示すように、後述するＯＤインタフェースに接続しており、この接続関係を示す概念図が図２に示されている。
【００１２】
本発明のＶｏＩＰゲートウェイ１０は、図２に示すように、ＯＤインタフェースを介して第１のＰＢＸ（Ｐｒｉｖａｔｅ  Ｂｒａｎｃｈ  Ｅｘｃｈａｎｇｅ：以降、単にＰＢＸと称す）１００に接続されており、該ＰＢＸ１００には、複数の電話機１１０が接続されている。
更に、ＶｏＩＰゲートウェイ１０は、ＩＰネトワーク介して第２のＶｏＩＰゲートウェイ接続しており、該第２のＶｏＩＰゲートウェイは、前記したＰＢＸ１００と同様の第２のＰＢＸに接続されている。
【００１３】
ここで、ＯＤインタフェースを説明する。
ＯＤインタフェースは、呼制御のための制御信号線と音声信号線とが異なるアウトバンド（帯域外）と称されるインタフェースであり、回線接続制御のための制御信号線としてＳＳ（Ｓｉｇｎａｌ  Ｓｅｎｄ）線およびＳＲ（Ｓｉｇｎａｌ  Ｒｅｃｅｉｖｅ）線が用いられる。また、通話のための音声信号として、ＰＢＸ１００との間で全二重通信を行うための送話用信号線および受話用信号線が用いられており、受話用信号線には、発呼時におけるＰＢＸからの応答がトーンダイヤル信号として搬送される。
【００１４】
ＳＳ線に搬送される信号はＶｏＩＰゲートウェイ１０から出力される送信信号であり、送信信号は、ＶｏＩＰゲートウェイ１０の制御により出力される。尚、送信信号は、該送信信号の出力から所定時間経過後に、発呼先を示すダイヤルがパルスとして重畳される。
ところで、ＶｏＩＰゲートウェイ１０をＰＢＸ１００に接続する際、ＶｏＩＰゲートウェイ１０から出力される送信信号において、最初に出力される信号を第１送信信号と称し、第２回目に出力される信号を第２送信信号と称し、以降の説明を行う。
【００１５】
また、ＳＲ線に搬送される信号はＰＢＸから出力されており、前記した第１送信信号を受けたＰＢＸからの応答として、ＰＢＸから受信信号が出力される。
【００１６】
尚、図３に示すように、前記したＯＤインタフェースにおける各信号線における制御内容の違いにより、ＯＤインタフェースにおける回線接続方式が異なっている。
回線接続方式としては、図３に示すように、ウインクスタート方式、プレポーズスタート方式およびイミディエートスタート方式があり、各方式の違いを順に説明する。尚、図３における各信号線におけるタイムチャートは、ＶｏＩＰゲートウェイ１０における各信号線の制御タイミングを示している。
【００１７】
ウインクスタート方式における各信号の制御内容は、図３の（ａ）に示すように、ＶｏＩＰゲートウェイ１０からＳＳ線に送信信号が出力されると、該送信信号を受けたＰＢＸ１００から、送信信号に対する応答として受信信号がＳＲ線に出力される。この受信信号にはウインク時間を示すパルスが重畳されており、当該パルスの立ち下がりタイミングに同期して、発呼先を示すダイヤルがパルスとして前記送信信号に重畳されて出力される。
【００１８】
ウインクスタート方式において、送信信号の出力開始からダイヤルパルスの出力開始までの時間、換言すると送信信号の出力開始から受信信号における立ち下がりまでの時間をウインク時間と称し、特に受信信号における立ち上がりから立ち下がりまでの間をウインク幅時間と称して以降の説明を行う。
【００１９】
尚、送信信号に重畳されたダイヤルパルスを受けたＰＢＸは、ダイヤルパルスで示されたダイヤルに対する発呼制御を行って、当該ダイヤルに対応する電話機１１０への回線接続制御を行う。尚、ＰＢＸは、何れの方式においても、送信信号に重畳されたダイヤルパルスを受けると、該ダイヤルパルスに示されたダイヤルに対し発呼制御を行って、当該ダイヤルに対応する電話機１１０への回線接続制御を行う。
【００２０】
プレポーズスタート方式における各信号の制御内容は、図３の（ｂ）に示すように、ＶｏＩＰゲートウェイ１０からＳＳ線に送信信号が出力されると、該送信信号を受けたＰＢＸ１００から、トーンダイヤル信号が受話用信号線に出力される。ＶｏＩＰゲートウェイ１０は、送信信号を出力すると、受話用信号線におけるトーンダイヤルの切断監視を行っており、ＰＢＸからのトーンダイヤルの切断を確認、すなわちトーンダイヤルの立ち下がりに同期して、発呼先を示すダイヤルをパルスとして前記送信信号に重畳して出力する。
【００２１】
尚、プレポーズスタート方式において、送信信号の出力開始からダイヤルパルスの出力開始までの時間、換言するとトーンダイヤルの立ち上がりからトーンダイヤルの立ち下がりまでの時間をプレポーズ時間と称し、以降の説明を行う。
【００２２】
次に、プレポーズスタート方式は、図３の（ｃ）に示すように、前記したプレポーズスタート方式において、プレポーズ時間が特に０に近くなる制御である。すなわち本実施例ではプレポーズ時間が５０ｍｓのときの制御をプレポーズスタート方式として説明を行う。
【００２３】
ここで、本発明のＶｏＩＰゲートウェイ１０の詳細な説明を用いて行う。
ＶｏＩＰゲートウェイ１０は、図１に示すように、制御信号および音声信号の入出力制御を行う回線接続部２０と、該回線接続部２０の制御管理を行う制御部３０と、記憶部４０とを備えている。
【００２４】
記憶部４０は、後述する処理で特定する回線接続方式の制御内容を記憶する。
回線接続部２０は、ＳＳ線に搬送する送信信号の出力制御を行うＳＳ制御部２１と、ＳＲ線に搬送される受信信号の受信制御を行うＳＲ制御部２２と、通話用信号線の制御を行う通話用信号線制御部とを備えており、該通話用信号線制御部において、特に受話信号として搬送されるトーンダイヤルの検出制御を行うトーンディテクタ２３とを備えている。
【００２５】
制御部３０は、ＰＢＸとの通信によりＯＤインタフェースにおける回線接続方式を決定する設定制御部５０と、所定のクロックパルスを生成するクロック生成部７０と、ゲートウェイのための通信プロトコルの変換制御を行うプロトコル変換部８０とを備える。
【００２６】
設定制御部５０は、図示しないＲＯＭに記憶されたプログラムに基づいて動作する動作内容の違いに応じて、ウインクスタート方式設定制御部５１と、イミディエートスタート方式設定制御部５２と、プレポーズスタート方式設定制御部５３とを備えている。
【００２７】
ウインクスタート方式設定制御部５１は、ＯＤインタフェースにおける回線接続方式を特定するため、ＰＢＸとの通信結果に基づいてウインクスタート方式がＰＢＸに設定されているか否か判定し、設定されているときにはウインクスタート方式による回線接続の制御内容を記憶部４０に保持する制御を行う。
【００２８】
イミディエートスタート方式設定制御部５２は、ＯＤインタフェースにおける回線接続方式を特定するため、ＰＢＸとの通信結果に基づいてイミディエートスタート方式がＰＢＸに設定されているか否か判定し、設定されているときにはイミディエート方式による回線接続の制御内容を記憶部４０に保持する制御を行う。
【００２９】
プレポーズスタート方式設定制御部５３は、ＯＤインタフェースにおける回線接続方式を特定するため、ＰＢＸとの通信結果に基づいてプレポーズタート方式がＰＢＸに設定されているか否か判定し、設定されているときにはプレポーズスタート方式による回線接続の制御内容を記憶部４０に保持する制御を行う。
【００３０】
尚、設定制御部５０におけるウインクスタート方式設定制御部５１、イミディエートスタート方式設定制御部５２およびプレポーズスタート方式設定制御部５３は、いずれもＰＢＸとの通信によりＯＤインタフェースにおける回線接続方式を特定しており、設定制御部５０において、重複する機能の共有化が図られている。
【００３１】
すなわち、設定制御部５０における具体的な機能において、例えば送信信号の管理、受信信号の管理、トーンダイヤルの管理、タイマ管理、設定時間の取得、ダイヤパルスの重畳などの各機能は、ウインクスタート方式設定制御部５１、イミディエートスタート方式設定制御部５２およびプレポーズスタート方式設定制御部５３において共有化されている。
【００３２】
ここで、設定制御部５０における具体的な機能ブロックを図４を用いて説明する。
設定制御部５０は、図４に示すように、送信信号の内容およびタイミングなどの管理を行うべくＳＳ制御部２１に制御を指示するＳＳ管理部５４と、ＳＲ制御部２２に制御を指示し、該ＳＲ制御部２２で受信した受信信号の検出やその内容などの管理を行うＳＲ管理部５５と、トーンディテクタ２３で受信するトーンダイヤルの検出および切断を管理するトーンダイヤル管理部６１と、送信信号にダイヤルパルスを重畳するためのダイヤルパルス重畳部５６と、設定されるタイムアウト時間に基づいて、タイマの制御を行うタイマ部５７と、各回線接続方式において用いる設定時間を取得するための設定時間取得部５８とを備える。
【００３３】
設定時間取得部５８は、送信信号の立ち上がりから受信信号の立ち下がりまでの時間をウインク時間として取得するウインク時間取得部５９と、送信信号を出力して設定した時間経過後、当該送信信号に重畳するダイヤルパルスを出力し、該ダイヤルパルスを受けたＰＢＸ１００からの応答としてトーンダイヤルの切断を確認すると、設定した時間をプレポーズ時間として取得するプレポーズ時間取得部６０とを備える。
【００３４】
次に、本発明のＶｏＩＰゲートウェイ１０の動作、特に設定制御部５０における動作を図５に沿って説明する。
尚、設定制御部５０における動作は、ウインクスタート方式設定制御部５１による制御動作、イミディエートスタート方式設定制御部５２による制御動作、プレポーズスタート方式設定制御部５３における制御動作の順序で行われる。
【００３５】
先ず、ウインクスタート方式設定制御部５１による制御動作を、図４における各機能動作と共に説明する。
ＳＳ管理部５４は、送信信号を出力すべく、ＳＳ制御部２１に対し制御を指示すると共に、設定時間取得部５８のウインク時間取得部５９に起動を指示し、指示を受けたＳＳ制御部２１は送信信号を第１送信信号として出力する（ステップＳ１）。
このとき、図示しない設定情報記憶部に保持された設定情報に示されたタイムアウト時間がタイマ部５７に設定される。尚、タイムアウト時間内にＰＢＸ１００からの応答が確認できない場合、ウインクスタート方式設定制御部５１からイミディエートスタート方式設定制御部５２へ制御動作が移行する。
【００３６】
尚、ＰＢＸ１００からの応答としての受信信号がＳＲ管理部５５で監視されており（ステップＳ２）、受信信号の立ち上がりを検出した後、受信信号の立ち下がりを検出すると、ウインク時間取得部５９に受信信号の立ち下がりを通知する。
ウインク時間取得部５９は、ＳＳ管理部５４からの経時開始指示に基づいてウインク時間の計時を開始し、ＳＲ管理部５５からの経時終了指示に基づいてウインク時間の計時を停止し、開始から停止までの時間をウインク時間として取得する（ステップＳ３）。
【００３７】
ウインク時間などのウインクスタート方式で回線接続を制御するための情報をＶｏＩＰゲートウェイ１０に設定すべく、該情報が記憶部４０で保持される（ステップＳ４）。
尚、記憶部４０に保持された情報は、ＶｏＩＰゲートウェイ１０がＰＢＸ１００とＯＤインタフェースによる回線接続制御を行うときに用いられる。
【００３８】
次に、前記したステップＳ２において、受信信号確認のタイムアウトにより、ウインクスタート方式設定制御部５１による制御からイミディエートスタート方式設定制御部５２による制御に移行したときの動作を説明する。
【００３９】
ＳＳ管理部５４は、出力した第１送信信号を停止し、改めて送信信号を出力すべく、ＳＳ制御部２１に対し制御を指示すると共に、トーンダイヤル管理部６１とに起動を指示する。指示を受けたＳＳ制御部２１は、送信信号を第２送信信号として出力する（ステップＳ５）。またトーンダイヤル管理部６１はトーンディテクタ２３に対し制御を指示し、第２送信信号の応答としてＰＢＸ１００から出力されるトーンダイヤルの監視を行う（ステップＳ６）。
【００４０】
ところで、第２の送信信号が出力されるとき、図示しない設定情報記憶部に保持された設定情報に示されたタイムアウト時間（プレポーズ時間）として、５０ｍｓがタイマ部５７に設定され、設定された時間がタイムアップすると、タイマ部５７からダイヤルパルス重畳部５６に通知が行われる。
【００４１】
通知を受けたダイヤルパルス重畳部５６は、前記第２の送信信号にダイヤル番号を示すパルスを重畳し、ダイヤルパルスをＰＢＸ１００に出力する。
ところで、ＰＢＸ１００は、送信信号を受けると、その応答としてトーンダイヤルを受話用信号線に出力しており、トーンダイヤルの出力を開始して、当該装置１００に設定されている時間の経過後に、ＶｏＩＰゲートウェイ１０からのダイヤルパルスを確認すると、トーンダイヤルの出力を停止する。換言すると、ＰＢＸ１００は、設定している時間内でダイヤルパルスを受けても、トーンダイヤルの出力停止を行わず、トーンダイヤルの出力を継続する。
【００４２】
また、送信信号の出力で起動指示を受けたトーンダイヤル管理部６１は、先ずＰＢＸ１００からのトーンダイヤルを検出し、その後当該トーンダイヤルの切断、すなわちＰＢＸ１００からのトーンダイヤルが出力停止されるか否かを確認する（ステップＳ７）。
【００４３】
この確認でＰＢＸ１００からダイヤルパルスの応答としてのトーンダイヤルの切断が確認できないとき、イミディエートスタート方式設定制御部５２による制御からプレポーズスタート方式設定制御部５３による制御に制御が移行する。
一方、トーンダイヤルの出力停止を確認すると、トーンダイヤル管理部６１はプレポーズ時間取得部６０にトーンダイヤルが切断されたことを通知する。
【００４４】
プレポーズ時間取得部６０は、トーンダイヤル管理部６１からのトーンダイヤル切断通知を受けると、タイマ部５７に設定したタイムアウト時間をプレポーズ時間として取得する。
【００４５】
プレポーズ時間などのイミディエートスタート方式で回線接続を制御するための情報をＶｏＩＰゲートウェイ１０に設定すべく、該情報が記憶部４０で保持される（ステップＳ８）。
【００４６】
次に、前記したステップＳ７において、ＰＢＸ１００からダイヤルパルスの応答としてトーンダイヤルの切断が確認できないとき、イミディエートスタート方式設定制御部５２による制御からプレポーズスタート方式設定制御部５３による制御に移行したときの動作を説明する。
【００４７】
ＳＳ管理部５４は、出力した第２送信信号を停止し、改めて送信信号を出力すべく、ＳＳ制御部２１に対し制御を指示すると共に（ステップＳ９）、トーンダイヤル管理部６１に起動を指示する。トーンダイヤル管理部６１はトーンディテクタ２３に対し制御を指示し、送信信号の応答としてＰＢＸ１００から出力されるトーンダイヤルの監視を行う。
【００４８】
ところで、プレポーズスタート方式設定制御部５３における動作は、より長いタイムアウト時間がタイマ部５７に設定されること以外、前記したイミディエートスタート方式設定制御部５２における動作と同じである。
具体的には、タイムアウト時間として５０ｍｓより長い例えば５００ｍｓがタイマ部５７に設定される。
【００４９】
尚、タイムアウト時間が設定された後の動作内容は、前記したイミディエートスタート方式設定制御部５２における動作内容と同様であることから、その説明を割愛する。
【００５０】
プレポーズ時間取得部６０は、設定したタイムアウト時間経過後に出力するダイヤルパルスの応答として、トーンダイヤルの切断を確認すると、タイマ部５７に設定されたタイムアウト時間をプレポーズ時間として取得し、該プレポーズ時間などのプレポーズスタート方式で回線接続を制御するための情報が記憶部４０で保持される（ステップＳ１０）。
【００５１】
尚、５００ｍｓのタイムアウト時間でも、トーンダイヤルの切断確認が行えないとき、更に長い時間、例えば１０００ｍｓがタイムアウト時間として設定され、以降同様の処理を行う。尚、タイムアウト時間を再延長してもトーンダイヤルの切断確認が行えないとき、更にタイムアウト時間を延長し、以降同様の処理を繰返す。
【００５２】
前記したように、本実施例のＶｏＩＰゲートウェイ１０によれば、第１送信信号を出力し、該信号を受けたＰＢＸ１００からの応答を受信信号として確認すると、ウインクスタート方式がＰＢＸ１００に設定されていると判定し、また受信信号が確認できないとき、第２送信信号を出力し、該信号を受けたＰＢＸからの応答をトーンダイヤル信号として監視し、第２送信信号を出力から５０ｍｓの時間経過後に、第２送信信号にダイヤルパルスを重畳し、該ダイヤルパルスを受けたＰＢＸ１００からのトーンダイヤル信号の切断を確認できると、イミディエートスタート方式がＰＢＸ１００に設定されていると判定する。
【００５３】
更に、本実施例のＶｏＩＰゲートウェイ１０によれば、トーンダイヤル信号の切断が確認できないとき、前記第２送信信号に代わる送信信号を出力し、該信号を受けたＰＢＸからの応答をトーンダイヤル信号として監視し、当該送信信号の出力から５０ｍｓより長く設定したタイムアウト時間経過後に、送信信号にダイヤルパルスを重畳し、該ダイヤルパルスを受けたＰＢＸからのトーンダイヤル信号の切断を確認できると、プレポーズスタート方式がＰＢＸ１００に設定されていると判定することにより、管理者に問合せなくとも、ＰＢＸ１００に設定されている回線接続方式を判定し、ＰＢＸ１００の回線接続方式に対応する回線接続方式を登録することができる。これにより、接続作業担当者は、ＯＤインタフェースによるＶｏＩＰゲートウェイ１０の接続を迅速に行うことができ、接続作業の効率の向上を図ることができる。
【産業上の利用可能性】
【００５４】
前記した本実施例では回線接続装置としてＶｏＩＰゲートウェイを例に説明を行ったが、例えばＴＤＭ（Ｔｉｍｅ  Ｄｉｖｉｓｉｏｎ  Ｍｕｌｔｉｐｌｅｘｉｎｇ）機能が組み込まれた回線接続装置に適用してもよい。
本発明は、ＯＤインタフェースとして、Ｅ＆Ｍインタフェースと称される規格の回線接続に適用してもよい。
【図面の簡単な説明】
【００５５】
【図１】本発明のＶｏＩＰゲートウェイのブロック図である。
【図２】本発明のＶｏＩＰゲートウェイの回線接続概念図である。
【図３】回線接続方式のタイミングチャート図である。
【図４】設定制御部の機能ブロック図である。
【図５】本発明のＶｏＩＰゲートウェイの動作を示すフローチャートである。
【符号の説明】
【００５６】
１０  ＶｏＩＰゲートウェイ
２０  回線接続部
２１  ＳＳ制御部
２２  ＳＲ制御部
２３  トーンディテクタ
３０  制御部
４０  記憶部
５０  設定制御部
５１  ウインクスタート方式設定制御部
５２  イミディエートスタート方式設定制御部
５３  プレポーズスタート方式設定制御部
５４  ＳＳ管理部
５５  ＳＲ管理部
５６  ダイヤルパルス重畳部
５７  タイマ部
５８  設定時間取得部
５９  ウインク時間取得部
６０  プレポーズ時間取得部
１００  ＰＢＸ
１１０  電話機
【図１】
2006246292.tif 000003
【図２】
2006246292.tif 000004
【図３】
2006246292.tif 000005
【図４】
2006246292.tif 000006
【図５】
2006246292.tif 000007